(57)【要約】【課題】簡単な構造で、種々の原料液を遠心分離の対象とすることができ、高い分級精度・効率を得ることができる遠心分離機及び遠心分離方法を提供する。【解決手段】本発明に係る遠心分離機は、回転駆動機構（５０）に連結されて鉛直方向に配置された回転筒（３０）と、該回転筒（３０）の内部に同軸に収納され該回転筒（３０）と一体に回転する分離筒（４０）と、前記回転筒（３０）を支持するとともに該回転筒（３０）に原料スラリーを供給する供給管（２１）及び該回転筒（３０）から排出される微細粒子を含む軽液を回収する軽液排出管（２２）と粗大粒子を含む重液を回収する重液排出管（２３）を備える本体（１０）と、を有する遠心分離機であって、前記回転筒（３０）の内周面と前記分離筒（４０）の外周面とにより形成される分級流路（３５）の幅を調整可能に構成している。【選択図】図２
2010110712.tif 000002
【特許請求の範囲】
【請求項１】
回転駆動機構（５０）に連結されて鉛直方向に配置された回転筒（３０）と、該回転筒（３０）の内部に同軸に収納され該回転筒（３０）と一体に回転する分離筒（４０）と、前記回転筒（３０）を支持するとともに該回転筒（３０）に原料スラリーを供給する供給管（２１）及び該回転筒（３０）から排出される微細粒子を含む軽液を回収する軽液排出管（２２）と粗大粒子を含む重液を回収する重液排出管（２３）を備える本体（１０）と、を有する遠心分離機であって、
前記回転筒（３０）の内周面と前記分離筒（４０）の外周面とにより形成される分級流路（３５）の幅を調整可能に構成していることを特徴とする遠心分離機。
【請求項２】
前記分級流路（３５）の幅の調整は、外径が異なる分離筒（４０）を交換することにより行うものである請求項１に記載の遠心分離機。
【請求項３】
前記分離筒（４０）は、羽根（４０ｂ）を有するものである請求項１又は２に記載の遠心分離機。
【請求項４】
前記回転筒（３０）は、その上端部内側に前記軽液を排出させる軽液排出孔（３６）を、上端部外側に前記重液を排出させる重液排出孔（３７）をそれぞれ有しており、該回転筒（３０）の下端部から導入された原料スラリーが前記分級流路（３５）を通って前記軽液排出孔（３６）及び重液排出孔（３７）を経てそれぞれの軽液排出管（２２）、重液排出管（２３）に排出されるようになっている請求項１〜３のいずれかに記載の遠心分離機。
【請求項５】
前記回転筒（３０）は、その下端部内側に前記軽液を排出させる軽液排出孔（３６）を、下端部外側に前記重液を排出させる重液排出孔（３７）をそれぞれ有しており、該回転筒（３０）の下端部から導入された原料スラリーが前記分離筒（４０）の内部を通って上昇し、該回転筒（３０）の上端部を折り返して前記分級流路（３５）を通って下降し、前記軽液排出孔（３６）及び重液排出孔（３７）を経てそれぞれ軽液排出管（２２）、重液排出管（２３）に導出されるようになっている請求項１〜３のいずれかに記載の遠心分離機。
【請求項６】
前記回転筒（３０）は、前記軽液と重液をそれぞれ軽液排出孔（３６）及び重液排出孔（３７）に導く区画リング（３８）が設けられている請求項１〜５のいずれかに記載の遠心分離機。
【請求項７】
前記回転筒（３０）は、該回転筒（３０）の中心部から該回転筒（３０）内に導入された原料スラリーを、回転筒（３０）の周縁部から前記分級流路（３５）内に導入されるように導く溝付きリングが設けられている請求項１〜６のいずれかに記載の遠心分離機。
【請求項８】
回転筒（３０）と、該回転筒（３０）の内部に同軸に収納され、該回転筒（３０）と一体に回転する分離筒（４０）とにより形成される分級流路（３５）に原料スラリーを供給して遠心分離を行う遠心分離方法であって、
原料スラリー又は目的とする分離効率に応じて前記分級流路（３５）の幅を調整することを特徴とする遠心分離方法。
【請求項９】
前記原料スラリーを湿式粒子分散装置によって前処理調整し、これを遠心分離処理するものである請求項６〜８のいずれかに記載の遠心分離方法。
【発明の詳細な説明】
【技術分野】
【０００１】
本発明は、微粒子の分級を液相中で行う遠心分離機及び遠心分離方法に関するものであり、回転筒と、該回転筒の内部に収納された分離筒とにより形成される流路に原料スラリーを供給して遠心分離を行う遠心分離機及び遠心分離方法に関するものである。
【背景技術】
【０００２】
液相中で微粒子の分級を行う遠心分離は、液相中を移動する粒子の移動抵抗力が粒子径に敏感に影響することから気相中で微粒子の分級を行う方法に比較して高い精度で分級を行うことができる。このような液相中で微粒子の分級を行う遠心分離機が、バイオテクノロジー、ナノテクノロジー等の微粒子関連技術分野において注目されており、一層の分級精度・効率を高める試みがなされている。
【０００３】
この分級精度・効率を高める方式として、例えば、特許文献１によると、遠心分離機の吊下型回転筒の内部に同軸に収納されて該吊下型回転筒と一体に回転する羽根に、分離・分級される原料スラリーを導くための誘導キャップを設けることが提案されている。
【０００４】
また、特許文献２には、比重の異なる２以上の成分を混合したスラリーから所定の成分を分離し、採取する遠心分離器であって、円環状のスラリー貯留空間と、該スラリー貯留空間の上部から回転中心方向に向かって形成された幅狭の流路とが内部に形成された回転可能なローターと、前記スラリー貯留空間の下部に連通する流入口と、前記流路に連通する流出口とを有するステーターとを備え、前記ローターの回転中心から前記流路の最外周までの距離をＭ［ｍｍ］、前記流路の最内周から最外周までの水平方向の距離をＮ［ｍｍ］、前記流路の平均幅をＨ［ｍｍ］としたとき、０．００６＜Ｈ／Ｍ＜０．０４１および０．０２３＜Ｈ／Ｎ＜０．１５３なる関係を満足するようにした遠心分離器が提案されている。
【０００５】
【特許文献１】特開２００６−２８１０３４号公報
【特許文献２】特開平０９−１０８５９４号公報
【発明の開示】
【発明が解決しようとする課題】
【０００６】
しかし、従来の遠心分離機は特定の原料スラリーの遠心分離に対しては高い分級精度・効率を有しているとしても、遠心分離を行う原料スラリーの組成や試験条件が異なると、分級精度や分離効率が低下するという問題があった。また、特許文献２に提案された遠心分離器は、複雑な構造を有し、維持管理が困難であるという問題があった。
【０００７】
本発明は、このような従来の問題点に鑑み、簡単な構造で、種々の原料スラリーを遠心分離の対象とすることができ、その原料スラリーに応じて高い分級精度・効率を得ることのできる汎用性の高い遠心分離機及び遠心分離方法を提供することを目的とする。
【課題を解決するための手段】
【０００８】
本発明に係る遠心分離機は、回転駆動機構（５０）に連結されて鉛直方向に配置された回転筒（３０）と、該回転筒（３０）の内部に同軸に収納され該回転筒（３０）と一体に回転する分離筒（４０）と、前記回転筒（３０）を支持するとともに該回転筒（３０）に原料スラリーを供給する供給管（２１）及び該回転筒（３０）から排出される微細粒子を含む軽液を回収する軽液排出管（２２）と粗大粒子を含む重液を回収する重液排出管（２３）を備える本体（１０）と、を有する遠心分離機であって、前記回転筒（３０）の内周面と前記分離筒（４０）の外周面とにより形成される分級流路（３５）の幅を調整可能に構成している。
【０００９】
上記発明において、前記分級流路（３５）の幅の調整は、外径が異なる分離筒（４０）を交換することにより行うことができる。
【００１０】
前記分離筒（４０）は、羽根（４０ｂ）を有するものとするのが好ましい。
【００１１】
前記回転筒（３０）は、その上端部内側に前記軽液を排出させる軽液排出孔（３６）を、上端部外側に前記重液を排出させる重液排出孔（３７）をそれぞれ有しており、該回転筒（３０）の下端部から導入された原料スラリーが前記分級流路（３５）を通って前記軽液排出孔（３６）及び重液排出孔（３７）を経てそれぞれの軽液排出管（２２）、重液排出管（２３）に排出されるようになっているものとすることができる。
【００１２】
また、前記回転筒（３０）は、その下端部内側に前記軽液を排出させる軽液排出孔（３６）を、下端部外側に前記重液を排出させる重液排出孔（３７）をそれぞれ有しており、該回転筒（３０）の下端部から導入された原料スラリーが前記分離筒（４０）の内部を通って上昇し、該回転筒（３０）の上端部を折り返して前記分級流路（３５）を通って下降し、前記軽液排出孔（３６）及び重液排出孔（３７）を経てそれぞれ軽液排出管（２２）、重液排出管（２３）に導出されるようになっているものとすることができる。
【００１３】
そして、前記回転筒（３０）は、前記軽液と重液をそれぞれ軽液排出孔（３６）及び重液排出孔（３７）に導く区画リング（３８）が設けられているのがよい。
【００１４】
また、前記回転筒（３０）は、該回転筒（３０）の中心部から該回転筒（３０）内に導入された原料スラリーを、回転筒（３０）の周縁部から前記分級流路（３５）内に導入されるように導く溝付きリングが設けられているのがよい。
【００１５】
本発明に係る遠心分離方法は、回転筒（３０）と、該回転筒（３０）の内部に同軸に収納され、該回転筒（３０）と一体に回転する分離筒（４０）とにより形成される分級流路（３５）に原料スラリーを供給して遠心分離を行う遠心分離方法であって、原料スラリー又は目的とする分離効率に応じて前記分級流路（３５）の幅を調整することにより行う。
【００１６】
上記発明において、原料スラリーを湿式粒子分散装置によって前処理調整し、これを遠心分離処理するのがよい。
【発明の効果】
【００１７】
本発明に係る遠心分離機は、簡単な構造で、種々の原料スラリーを遠心分離の対象とすることができる汎用性に優れ、その原料スラリーに応じて高い分級精度・効率を得ることができる。また、本遠心分離機により遠心分離を行う前に、先ず湿式粒子分散処理を行い、次に遠心分離処理を行うことによりさらに高い分級精度・効率の遠心分離を行うことができる。
【発明を実施するための最良の形態】
【００１８】
以下、本発明の実施の形態について図面に基づいて説明する。図１は、本発明に係る遠心分離機の構造を示す一部断面図である。図１に示すように、本遠心分離機は、本体１０と、その本体１０内で鉛直方向に配置され、本体１０に支持された回転筒３０と、回転筒３０を高速回転させる回転駆動機構５０とを有している。
【００１９】
本体１０は、外筒１１とこれを保持するスタンド２５を有しており、該外筒１１には前記回転筒３０内に原料スラリーを供給する供給管２１及び該回転筒３０から排出される微細粒子を含む軽液と粗大粒子を含む重液とを回収する軽液排出管２２と重液排出管２３がそれぞれ設けられている。
【００２０】
前記回転筒３０内には該回転筒３０と同軸で回転する分離筒４０が配置されており、これらは、回転駆動機構５０により回転させられるスピンドル５５を介して高速回転可能な構造となっている。前記回転筒３０は、図２に示すように、その上端がカップリング５６によりスピンドル５５と連結され、下端が外筒１１に結合された軸受部１８に支持されている。そして、該回転筒３０に設けられた軽液排出孔３６は軽液排出管２２と連通しており、重液排出孔３７は重液排出管２３と連通している。
【００２１】
前記供給管２１から供給された原料スラリーは、軸受部１８を通って前記回転筒３０の内部に導入され、該回転筒３０の内周面と前記分離筒４０の外周面により形成される分級流路３５を流通する間に、該回転筒３０と分離筒４０の同軸高速回転によって、強い遠心力を受ける粗大粒子を含む重液は該分級流路３５の外径側の重液排出孔３７から排出され、弱い遠心力を受ける微細粒子を含む軽液は該分級流路３５の内径側の軽液排出孔３６から排出されるようになっている。
【００２２】
前記回転筒３０の内部に該回転筒３０と同軸に収納された前記分離筒４０は、適宜の係止手段４５により回転筒３０に係合されて該回転筒３０と一体に回転するようになっている。
【００２３】
該分離筒４０は、図３に示すように、中心軸４０ａに羽根４０ｂが設けられた形状をしており、図示の例では羽根４０ｂの枚数は４枚であるが、必要に応じて１〜６枚の羽根４０ｂを設けることができる。なお、本例の中心軸４０ａ部分は中空になっている。
【００２４】
前記係止手段４５は、羽根４０ｂに設けられたリベット４６と、リベット４６に掛け渡されたスプリング４７により構成される。分離筒４０は、スプリング４７が張り出して回転筒３０の内周面に与える押圧力により回転筒３０に係合され、回転筒３０と一体に回転するようになっている。また、分離筒４０は、このような係止手段４５により、回転筒３０の内部に係合されているので、分離筒４０の交換作業を容易かつ迅速に行うことができる。なお、係止手段４５はキーとキー溝により構成することもできる。
【００２５】
以上、本発明に係る遠心分離機の構成を説明した。本遠心分離機による遠心分離の方法について、図４を基に説明する。図４は、供給管２１を通じて前記回転筒３０内に導入された原料スラリーの流れを示す模式図である。図４の矢印ａで示すように、供給管２１を通じて前記回転筒３０の下端部に導入された原料スラリーは、同軸に設けられた回転筒３０と分離筒４０の間に形成される間隔、すなわち、回転筒３０の内周面と分離筒４０の外周面により形成される分級流路３５を流れる間に、該分級流路３５内に存在し且つ回転筒３０及び分離筒４０とともに高速回転して該分級流路３５内のスラリーを強制的に高速回転させる羽根４０ｂによってスラリー液に遠心力を与え、これによって、強い遠心力を受ける粗大粒子は前記分級流路３５の外径側に集まって矢印ｂに示したように重液流となり、弱い遠心力を受ける微細粒子は前記分級流路３５の内径側に集まって矢印ｃに示したように軽液流となって、それぞれ重液排出孔３７及び軽液排出孔３６から排出される。そして、軽液排出孔３６から排出される軽液は軽液排出管２２を経て回収され、重液排出孔３７から排出される重液は重液排出管２３を経て回収される。
【００２６】
分級流路３５の幅は、図４（ｂ）に示すｔで表される。すなわち、分級流路３５の幅は回転筒３０の内周径ｄ１と分離筒４０の外周径ｄ２の差により表される。なお、分離筒４０の外周径ｄ２は、羽根４０ｂの有無を問わず中心軸４０ａの外径をいう。
【００２７】
＜実施例１＞
以下に本発明による遠心分離機を用いた実施例について説明する。先ず原料スラリーは次の要領で調整した。すなわち、密度２３００ｋｇ／ｍ３の真球状シリカ（ＳｉＯ２）粒子（アドマテック（株）製、ＳＯ−Ｃ２）を温度３０℃に保たれた水で満たされているスラリータンク内に投入し、粒子濃度が０．５ｗｔ％になるよう調製し、超音波分散機によって分散させて原料スラリーを作製した。このときの原料スラリーの粒度分布を図５に示す。粒子径分布の測定は、レーザ回折式測定装置（日機装（株）製、ＭＴ３３００ＥＸｉｉ）を用いて行った。
【００２８】
次に、本遠心分離機の前記分級流路３５の幅ｔを表１に示すように種々に変化させて上記原料スラリーを用いて遠心分離試験を行なった。すなわち、試験装置の回転筒３０の内径ｄ１は４４．４ｍｍであり、その内部に、分離筒４０の外径ｄ2が２６．０ｍｍのもの（試験番号１）と３３．５ｍｍのもの（試験番号２）と分離筒４０を有せず単に２枚の羽根を組み合わせた構造のもの（試験番号３）とを順次交換することにより、前記分級流路３５の幅ｂを変化させて遠心分離試験を行なった。試験条件は、原料スラリー供給量が２００ｍＬ／ｍｉｎ、遠心分離機の回転数は２０００ｒｐｍである。なお、分離筒４０は４枚羽根であり、いずれも図３に示す羽根４０ｂの外接円の径ｄ３は４３．７ｍｍである。この試験結果を図６に示す。図６において、横軸は粒子径、縦軸は部分分級効率を示し、図中の番号は表１の試験番号を示す。
【００２９】
なお、部分分級効率Δηは、Δη＝｛ｍ０ｆ０（Ｄｐ）ΔＤｐ−ｍｆｆｆ（Ｄｐ）ΔＤｐ｝／｛ｍ０ｆ０（Ｄｐ）ΔＤｐ｝により表され、上記式において、ｍ０、ｍｆは、それぞれ単位時間あたりに遠心分離機へ供給される原料スラリー及び遠心分離機から排出される軽液に含まれるシリカ粒子の質量を表し、ｆ０（Ｄｐ）、ｆｆ（Ｄｐ）は原料スラリー、シリカ粒子の体積基準頻度分布関数を表している。
【００３０】
【表１】
2010110712.tif 000003
【００３１】
図６によると、試験番号１（分級流路３５の幅が９．２ｍｍ）の分級精度が最も高く、試験番号２（分級流路３５の幅が５．５ｍｍ）は分級精度がやや低下している。試験番号３（分級流路３５の幅が２１．２ｍｍ）では、０．１μｍ以下の分級は不可能であった。
すなわち、分級精度は、分級流路幅ｂを狭くして回転筒３０内に導入された原料スラリーの流れを回転筒３０の内周面近くに寄せるほうがよいが、遠心分離を行うには最適の流路幅ｔが存在することが分かる。
【００３２】
本遠心分離機は、分級流路３５の幅を種々に変えることができる分離筒４０が予め準備されており、これを対象とするスラリー系により適宜交換することになる。また、分離筒４０の交換を容易に行うことができる構造になっている。このため、遠心分離される原料スラリーと目的とする分級条件によって、それぞれに最適な分級流路幅の分離筒４０を使用して遠心分離を行うことができる。
【００３３】
以上、本発明に係る遠心分離機及びこれを用いた遠心分離方法について説明した。本発明に係る遠心分離機又は遠心分離方法によれば、上述のように分級流路内にスラリーを強制回転させる羽根を設け、さらに分級流路幅を適宜変更することにより分級精度を向上させることができる。このことは、低い回転数でも従来の遠心分離機と同等の分級精度を達成できることを意味するから、同一分級精度であれば、省エネ型遠心分離を可能にすることになる。
【００３４】
また、上記の本発明に係る遠心分離機又は遠心分離方法において、先ずビーズミル、超音波等の湿式粒子分散処理を行って粉砕して均一分散させたうえで、遠心分離処理を行うことが好ましい。この前処理により、分級精度・効率を一層向上させることができる。次にこの場合の実施例を示す。
【００３５】
＜実施例２＞
実施例１の試験番号１で用いた遠心分離機とビーズミルを使用して遠心分離を行った。試験装置の構成を図７に示し、試験結果を図８に示す。分級試験は、以下の条件で行った。すなわち、原料スラリーはスターラで撹拌処理したシリカ粒子（２．０ｗｔ％）の水スラリーを用いた。ビーズミルによる分散処理は、この原料スラリーを径１５０μｍのビーズを使用し、回転数２８４０ｒｐｍ、運転時間３０ｍｉｎで行った。遠心分離機による処理は、流量２００ｍ／ｍｉｎ、回転数２００００ｒｐｍ、運転時間１０ｍｉｎで行った。
【００３６】
図８において、横軸は粒子径、縦軸は頻度を示す。また、番号１は原料スラリーをそのまま遠心分離を行った場合の分級曲線であり、番号２は上述の通りビーズミルにより分散処理をした後さらに遠心分離を行った場合の分級曲線であり、番号３は先ずビーズミルにより分散処理をした後に遠心分離を行い、その遠心分離により得られた軽液をさらにビーズミルにより分散処理をした後に遠心分離を行った場合の分級曲線である。
【００３７】
図８に示すように、原料スラリーをビーズミルにより分散処理をした後に遠心分離をすると、より小径かつ単分散性に優れた粒子を得ることができることが分かる。特に、分級曲線の番号１と２を比較するとビーズミルによる分散処理の効果が大きいことが分かる。
なお、微粉砕装置はビーズミルに限らず適宜のミルを使用することが可能であることは言うまでもない。
【００３８】
なお、本発明に係る遠心分離機又は遠心分離方法は上述の実施例に限定されるものではない。例えば、図９（ａ）に示すように、回転筒３０内に導入された原料スラリーを、先ず分離筒４０の中心軸４０ａ内を通って矢印ｄに示すように上昇させ、次に回転筒３０の上端部で矢印ｅに示したように折り返して該回転筒３０の内周面と分離筒４０の外周面により形成される分級流路３５を矢印ｆに示すように下降させる構成の遠心分離機又は遠心分離方法とすることができる。この場合も、分級流路３５内の下降流ｆが回転筒３０と共に回転する分離筒４０と羽根４０ｂの回転により、スラリーが強制回転されて遠心力によって大径粒子は分級流路３５の外周面側に移動してくるので、前述したのと同様の作用で大径粒子を含む重液は分級流路３５の外周面側に、微細粒子を含む軽液は該分級流路３５の内周面側にそれぞれ分離して分級効率を向上させることができる。
【００３９】
また、図９（ａ）、（ｂ）に示すように、前記回転筒３０の分級流路３５の下部の内周面側には軽液排出孔３６が、外周面側には重液排出孔３７がそれぞれ形成されており、両排出孔は、区画リング３８によって画成されている。
【００４０】
また、図１０（ａ）に示すように分離筒４０の下端部に溝付きリング６０を設けることができる。この溝付きリング６０を設けることにより、回転筒３０内に導入された原料スラリーは、図１０（ｂ）に示す矢印のように、溝付きリング６０の溝６５に沿って回転筒３０の周縁部に導かれ、そして、分級流路３５内に導入されるようになる。これにより、原料スラリーの分散が促進され分級効率を向上させることができる。なお、本例の溝付きリング６０は、図１１に示すように、リング本体６１の上面部に中心部から周縁に放射状に延びる４本の溝６５を有しており、その切欠き６３が分離筒４０の羽根４０ｂの端部にはめ合わされて分離筒４０に装着されるようになっている。溝６５の本数、形状等は、原料スラリーの性状、目標分級効率等によって最適なものが選ばれる。
【００４１】
また、溝付きリング６０は、図１２に示す形状のものとすることができる。この溝付きリング６０は、図１２に示すように、溝６５がリング本体６１の内面頂部に形成されており、図１３に示すように分離筒４０の上端部に装着されて使用される。この場合、分離筒４０の中心軸４０ｂ内を通って上昇してきた原料スラリーは、図１３（ｂ）に示す矢印のように、溝付きリング６０の溝６５に沿って回転筒３０の周縁部に導かれ、そして、分級流路３５内に導入されるようになる。なお、図１３（ｂ）は、溝付きリング６０の図１２に示すＡＡ断面部分を示す。
【００４２】
また、本発明に係る遠心分離機又は遠心分離方法においては、原料スラリーは、水又は有機溶媒に金属粒子、セラミックス粒子、樹脂粒子等の固体粒子を懸濁させたものを使用することができる。
【図面の簡単な説明】
【００４３】
【図１】本発明に係る遠心分離機の構造を示す一部断面図である。
【図２】図１の回転筒部分を示す一部断面図である。
【図３】図１の分離筒部分を示す斜視図である。
【図４】本発明に係る遠心分離方法の説明図である。
【図５】実施例１における原料スラリー中のシリカの粒度分布を示すグラフである。
【図６】実施例１における遠心分離試験結果を示すグラフである。
【図７】実施例２における試験装置の構成を示す図面である。
【図８】実施例２における分級試験結果を示すグラフである。
【図９】他の実施形態の遠心分離機又は遠心分離方法の説明図である。
【図１０】溝付きリングを装着させた回転筒の実施例の説明図である。図１０（ｂ）は、図１０（ａ）に示す溝付きリング部分の拡大図である。
【図１１】上記溝付きリングの拡大図である。
【図１２】他の実施例の溝付きリングの拡大図である。
【図１３】図１２の溝付きリングを装着させた回転筒の実施例の説明図である。図１３（ｂ）は、図１３（ａ）に示す溝付きリング部分の拡大断面図である。
【符号の説明】
【００４４】
１０    本体
１１    外筒
１８    軸受部
２１    供給管
２２    軽液排出管
２３    重液排出管
２５    スタンド
３０    回転筒
３５    分級流路
３６    軽液排出孔
３７    重液排出孔
３８    区画リング
４０    分離筒
４０ａ  中心軸
４０ｂ  羽根
４５    係止手段
４６    リベット
４７    スプリング
５０    回転駆動機構
５５    スピンドル
５６    カップリング
６０、６０Ａ、６０Ｂ    溝付きリング
６１    リング本体
６３    切欠き
６５    溝
【図１】
2010110712.tif 000004
【図２】
2010110712.tif 000005
【図３】
2010110712.tif 000006
【図４】
2010110712.tif 000007
【図５】
2010110712.tif 000008
【図６】
2010110712.tif 000009
【図７】
2010110712.tif 000010
【図８】
2010110712.tif 000011
【図９】
2010110712.tif 000012
【図１０】
2010110712.tif 000013
【図１１】
2010110712.tif 000014
【図１２】
2010110712.tif 000015
【図１３】
2010110712.tif 000016